(57)【要約】      （修正有）【課題】植木鉢に対する潅水時における植木鉢からの溢水を、効果的に集水し、排水し得る植木鉢台を提供すること。【解決手段】植木鉢を載置する載置面に所定高さのリブ３を所定ピッチで形成し、前記リブによって形成されるリブ間の溝部を流水溝４となし、該流水溝の少なくとも一側にこれら複数の流水溝を連結する集水溝５を設けるとともに、この集水溝５に植木鉢からの溢水を排出する排水口６を開設したこものである。【選択図】図３
0003107012.tif 000002
【実用新案登録請求の範囲】
【請求項１】
植木鉢を載置する載置面に所定高さのリブを所定ピッチで形成し、前記リブによって形成されるリブ間の溝部を流水溝となし、該流水溝の少なくとも一側にこれら複数の流水溝を連結する集水溝を設けるとともに、この集水溝に植木鉢からの溢水を排出する排水口を開設したことを特徴とする植木鉢台。
【請求項２】
請求項１記載の植木鉢台において、流水溝の底面を集水溝に向かう傾斜面としたことを特徴とする植木鉢台。
【請求項３】
請求項１および２記載の植木鉢台において、集水溝の底面を排水口に向かう傾斜面としたことを特徴とする植木鉢台。
【考案の詳細な説明】
【技術分野】
【０００１】  本考案は、複数の植木鉢を室内、ベランダ等に飾るために使用される鉢受け台に係り、特に、植木に潅水するに際して水を効果的に集水してオーバーフローを防止することができる植木鉢台に関する。
【背景技術】
【０００２】  従来から、家庭において、美観、涼感などの室内外の装飾的な効果、加えて、草花、常緑木、観葉植物のもたらす精神的安らぎをもたらせる効果等々から、ガーデニングが推奨され、これに伴って、室内あるいはベランダ、特に、集合住宅（マンション）におけるベランダ等に鉢植えによるガーデニングが行われている。【０００３】  ところで、室内に植木鉢を展開する場合にあっては、フロアーの汚損を防止するために植木鉢の下面に水の受け皿を介して設置するが、植木鉢をベランダに展開する場合にあっては、植木鉢をベランダの床面に直接に置くか、あるいは、鉢受け台に載置するか、またかかる場合にあっても、個々の植木鉢の下面に水の受け皿を介して置くか、複数の植木鉢の下面に水の受け皿を介して置くかの何れかである。【０００４】  前述する植木鉢によるガーデニングにおける日常的な管理項目として重要なことは植木鉢に対する潅水であるが、この作業に際しては、潅水にのみ注目し、植木鉢あるいは受け皿からの水のオーバーフローによるベランダの溢水に対しては注意を払うことが為されておらず、このことは、ベランダが構造物の躯体としてその床面には防水加工（施行）が行われているものの、長期間における溢水によってその耐用性（寿命）を低下させている。
【考案の開示】
【考案が解決しようとする課題】
【０００５】  この考案は、前述の諸点に鑑みなされたもので、植木鉢に対する潅水時における植木鉢からの溢水を、効果的に集水し、排水し得る植木鉢台を提供することを目的とするものである。
【課題を解決するための手段】
【０００６】  前述の課題を解決するための本考案にかかる植木鉢台の構成は、植木鉢を載置する載置面に所定高さのリブを所定ピッチで形成し、前記リブによって形成されるリブ間の溝部を流水溝となし、該流水溝の少なくとも一側にこれら複数の流水溝を連結する集水溝を設けるとともに、この集水溝に植木鉢からの溢水を排出する排水口を開設したことを特徴とするものである。【０００７】  また、請求項２に記載の本考案にかかる植木鉢台の構成は、流水溝の底面を集水溝に向かう傾斜面とした点に存するものである。【０００８】  さらにまた、請求項３に記載の本考案にかかる植木鉢台の構成は、集水溝の底面を排水口に向かう傾斜面とした点に存するものである。
【考案の効果】
【０００９】  本考案の植木鉢台によれば、潅水時に植木鉢からオーバーフローした水あるいは植木鉢の底に開設した水抜き穴から流出した水を集水し、適宜の排水溝、あるいは、受け皿にて集水することが可能であることから、ベランダの床面に流れ落ちること（溢水）を防止でき、ベランダの防水施行の寿命に対する影響を軽減せしめることとなり、また、受け皿にて集水させることによって、一般家庭の部屋の中で使用できる植木鉢台を提供できる効果を奏するものである。
【実施例】
【００１０】  以下、図示の実施例に基づいて本考案にかかる植木鉢台を説明すると、植木鉢台１は、基本形譲渡して上面が開放した矩形状の函体２をなすものであって、植木鉢を載置する載置面には、函体２の長手方向に沿って函体２の周縁壁２ａの高さよりも低い所定高さｈのリブ３が所定ピッチｐで形成され、前記リブ３により形成される挟まれる空間部分を流水溝４となし、植木鉢からの溢水を流出するようにされている。リブ３を形成することによって、該リブ３が載置する植木鉢の重量を支承する補強部材として機能し、また、植木鉢台１の周縁壁２ａの高さを載置面から高く形成することによって、載置される植木鉢が不用意な力の作用によってその上面から転落することを確実に防止し得る。【００１１】  流水溝４の少なくとも一側、例えば、函体２の矩形の短辺側に、流水溝４から流れ来る溢水を集水するために前記流水溝４を横断的に結ぶように集水溝５が形成され、この集水溝５の適宜位置に溢水を排出するための集水溝５の上面、あるいは、函体２の側壁に開口する排水口６を開設している。前記流水溝４ならびに集水溝５の底面は溢水を速やかに排出し、溢水の溜まりを防止するために排水口６に向かう緩やかな傾斜面に形成することが望ましいもので、また、集水溝５は函体２の両短辺側に設けることが好ましく（図１）、かかる場合において、不必要（使用しない）となる排水口６にはゴム栓７を着脱自在に嵌着しておくのがよい。【００１２】  前述する函体２は、流水溝４を形成する関係から合成樹脂の一体的に射出成型で製作することが望ましいが、より耐水性、耐久性を考慮した場合、ステンレス鋼製のプレス成型により製作することも可能で、また、流水溝４を形成するリブ３の形状は、前述の実施例にあっては、矩形形状としているが、これに特定されるものではなく、波型、三角形と任意の形状を採用することが可能なもので、さらには、函体２をステンレス鋼製とするような場合にあっては、リブとして一体的に成型することに換えて金属製の棒状体を溶接あるいは螺子止めにより固着することも可能である。【００１３】  函体２には、これを支承するために脚８が取り付けられる。この脚８は、種々の形態が採用し得るもので、その一例について図３に基づき説明すると、この実施例にあっては、植木鉢台１を支承するための脚８は、函体２の両側において固定される一対の脚８として構成され、この脚８はその基本形状が門型であって、上面に植木鉢台１を受容する一対の立爪部材９を両側に立設してなり、該立爪部材９の内方に凸設して形成してなる突起９’によって函体２の上端縁を固定するか、あるいは、図示を省略したが、函体２の周壁に前記突起９’に係合するように形成された嵌合凹所を形成し、両者の係合関係によって固定することも可能で、これにより脚８と植木鉢台１とを着脱自在となし、また、植木鉢台の不要時において、これらを分解することによって収納のためのスペースを最小となし得る。【００１４】  また、脚８の一側には、函体２に作用する植木を植栽してなる植木鉢の重量を確実に受け止めるために、函体２の下面に当接する水平方向（函体２の長手方向）に延在する支持アーム１０が突設されている。この脚８と函体２との接続を強固な��のとするために、螺子（図示を省略。）により固定するようにしてもよい。この場合には、立爪部材９を省略することもできる。【００１５】  本考案にかかる植木鉢台１の使用に際しては、任意の位置の排水口の下方に受水皿１１を配置するか、あるいは、前述する排水口６にホース（図示を省略。）を接続し、これをベランダに設けられた排水溝（図示を省略。）に直接に排水させるようにするのが望ましい。特に前者における場合にあっては、潅水時に植木鉢からオーバーフローした水あるいは植木鉢の底に開設した水抜き穴から流出した水を受水皿１１により集水することから、室内においても使用することが可能となる。【００１６】  また、本考案にかかる植木鉢台１は、図４に示すように、階段状の３段式のフレーム１２に載置することも可能で、この場合には、上位にある植木鉢台１ａの排水を中間にある植木鉢台１ｂの集水溝へ、排水口６に接続したホース１３ａにより排水するようになし、さらに、中間の植木鉢台１ｂの集水溝に集められた溢水は、同様に中間の植木鉢台の集水溝の排水口に接続されたホース１３ｂにより下段の植木鉢台１ｃの集水溝に排水せしめ、下段の植木鉢台１ｃの排水口からその直下に配置された受水皿１１に排出し、すなわち、順次、流下せしめるか、図示を省略したが前述すると同様に、下段の植木鉢台１ｃの集水溝の排水口にホースを接続し、これをベランダに設けられた排水溝（図示を省略。）に直接に排水させるようにすることも可能である。
【図面の簡単な説明】
【００１７】
【図１】本考案に係る植木鉢台を示す断正面図
【図２】図１におけるＩ−Ｉ線断面図
【図３】他の実施形態を示す斜視図
【図４】使用例を示す概略説明図
【符号の説明】
【００１８】１：植木鉢台
２：函体
３：リブ
４：流水溝
５：集水溝
６：排水口
７：ゴム栓
８：脚
９：立爪部材
９’：突起
１０：支持アーム
１１：受水皿
１２：フレーム
１３ａ、１３ｂ：ホース
【図１】
0003107012.tif 000003
【図２】
0003107012.tif 000004
【図４】
0003107012.tif 000005
【図３】
0003107012.tif 000006